(57)【要約】【課題】突起およびノッチの閉じる機構であって、蓋が容器を十分に閉じるとき音による表示をもたらし、蓋を容器から外すときは抵抗が最小であり、移送および／または収納の間に蓋と容器の間のねじ緩みを少なくするか無くすことができる機能が開示される。【解決手段】ねじ付きの蓋と備えたねじ付きの容器のための音のする閉じる機構であって、容器と蓋が突起およびノッチ構成を含む。その構成によって、蓋が容器を十分に閉じたことを示す音による指示がなされるとともに、蓋を容器から外すときはその抵抗が最小限となる。音による閉じる機構はさらに輸送や収納の間の蓋と容器との間のねじ緩みを低減するかあるいは排除する。蓋と容器は少なくとも突起かノッチのいずれか一方を含み、それによって、突起がノッチによって収容されて蓋が容器を十分に閉じたことを音によって示すことができる。【選択図】図１
2008120459.tif 000002
【特許請求の範囲】
【請求項１】
音のする閉じる機構を備えた容器において、
開口を取り巻く首を備えた本体と、
少なくとも１つのノッチを有した前記首の雄ねじと、
頂部壁と該壁から垂れ下がったすそを有した蓋と、
前記首の雄ねじと係合する、前記すそにおける雌ねじと、半径方向内側に向かって延在する少なくとも１つの突起であって、前記雌ねじと前記頂部壁との間に位置して前記雄ねじにおけるノッチに音による指示を伴って挿入される突起と、
を具えたことを特徴とする容器。
【請求項２】
前記首の雄ねじはほぼ等しい間隔をおかれた少なくとも３つのノッチを有し、前記すそは、半径方向内側に向かって延在する、ほぼ等しい間隔をおかれた少なくとも３つの突起を有することを特徴とする請求項１に記載の容器。
【請求項３】
前記雄ねじは前記首の外表面に沿った少なくとも３つの不連続な雄ねじを有し、前記雄ねじは傾斜して第１の雄ねじの最上端が第２の雄ねじの最下端と重なり、前記第１の雄ねじの前記最上端はノッチを含み、
前記雌ねじは前記すその内側面に沿った少なくとも3つの不連続なねじを有し、前記雌ねじは傾斜して第１の雌ねじの最上端が第２の雌ねじの最下端と重なり、突起のそれぞれは、隣接する雌ねじの最上端と前記頂部壁の内側面との間で前記すその内側面に沿って配置される、
ことを特徴とする請求項２に記載の容器。
【請求項４】
少なくとも３つのノッチが少なくとも３つの不連続な雄ねじの終端に隣接することにより、不連続な雄ねじのそれぞれが前記ノッチによって分けられる長い部分と短い部分を含むことを特徴とする請求項３に記載の容器。
【請求項５】
少なくとも３つの突起が、少なくとも３つの不連続な雌ねじの終点に隣接したことを特徴とする請求項4に記載の容器。
【請求項６】
ノッチの数は突起の数と異なっていることを特徴とする請求項５に記載の容器。
【請求項７】
ノッチと突起の数は４つであることを特徴とする請求項５に記載の容器。
【請求項８】
突起は不連続な雄ねじと係合して、前記突起が前記首のノッチに整列するまで、前記容器の首および前記蓋のすその少なくとも一方を変形させることを特徴とする請求項６に記載の容器。
【請求項９】
前記突起は不連続な雄ねじの傾斜部に係合し、前記傾斜部は前記不連続な雄ねじの短い部分に位置することを特徴とする請求項8に記載の容器。
【請求項１０】
前記音による指示は、前記突起が前記ノッチ内に篏合するときに生じ、前記蓋が十分に回転して閉じた位置にあることを示すことを特徴とする請求項９に記載の容器。
【請求項１１】
前記突起の周囲長は、ノッチの周囲長より長いことを特徴とする請求項１０に記載の容器。
【請求項１２】
前記突起が前記容器のねじと係合することによって、前記容器の輸送および移動の間の、前記蓋と前記容器との間のねじ緩みが防止されることを特徴とする請求項１０に記載の容器。
【請求項１３】
前記突起のそれぞれは先端および後端を有し、前記先端は、前記ノッチに接する前記突起の最初の端縁であり、曲線状とされていることを特徴とする請求項１０に記載の容器。
【請求項１４】
前記突起のそれぞれは先端および後端を有し、前記先端は、前記ノッチに接する前記突起の最初の端縁であり、直線状とされていることを特徴とする請求項１０に記載の容器。
【請求項１５】
前記雄ねじは、前記首の外表面に沿った４つの不連続な雄ねじを有し、それぞれの雄ねじはノッチを有し、前記雌ねじは前記すその内側面に沿った４つの不連続な雌ねじを有し、４つの突起が雌ねじの最上端と前記頂部壁の内側面との間で前記すその内側面に沿って配置されたことを特徴とする請求項１に記載の容器。
【請求項１６】
前記突起の周囲長は、前記ノッチの周囲長より長いことを特徴とする請求項１５に記載の容器。
【請求項１７】
前記音による指示は、前記突起が前記ノッチ内に篏合するときに生じ、前記蓋が十分に回転して閉じた位置にあることを示すことを特徴とする請求項１５に記載の容器。
【請求項１８】
容器上の蓋の位置を音によって指示するための方法において、
雌ねじと蓋の頂部壁との間にほぼ等しい間隔の少なくとも３つの突起を設け、
容器本体の首の雄ねじにほぼ等しい間隔の少なくとも３つのノッチを設け、
前記容器の首および前記蓋のすその少なくとも一方を、前記突起を前記雄ねじに係合させることによって変形させ、
前記容器の首および前記蓋のすその少なくとも一方を、前記突起を前記雄ねじの前記ノッチに整列させることによって変形していない状態に戻す、
工程を有したことを特徴とする方法。
【請求項１９】
前記雄ねじは前記首の外表面に沿った少なくとも３つの不連続な雄ねじを有し、前記雄ねじは傾斜して第１の雄ねじの最上端が第２の雄ねじの最下端と重なり、前記第１の雄ねじの前記最上端はノッチを含み、
前記雌ねじは前記すその内側面に沿った少なくとも3つの不連続なねじを有し、前記雌ねじは傾斜して第１の雌ねじの最上端が第２の雌ねじの最下端と重なり、突起のそれぞれは、隣接する雌ねじの最上端と前記頂部壁の内側面との間で前記すその内側面に沿って配置される、
ことを特徴とする請求項１８に記載の方法。
【請求項２０】
音のする閉じる機構を備えた容器において、
頂部壁および該頂部壁から垂れ下がるすそを有した蓋と、
少なくとも１つのノッチを有した前記すそにおける雌ねじと、
開口を取り巻く首を備えた本体と、
前記すその雌ねじと係合するための前記首における雄ねじと、少なくとも１つの外側を向けて延在する突起であって、前記雄ねじと前記開口との間に位置し前記雌ねじにおける少なくとも１つのノッチに可聴音を伴って挿入される突起と、
を具えたことを特徴とする容器。
【発明の詳細な説明】
【技術分野】
【０００１】
本開示は、ねじ付きの容器および蓋の音のする閉じる機構に関し、詳しくは、蓋が容器を十分に閉じていることを音で示すようにする突起およびノッチの構成に関するものである。
【背景技術】
【０００２】
ねじ付き容器および蓋の閉じ構造は、それらの間に種々の係合構成を有することができる。典型的な構成は、蓋および容器の一方または両方のねじにおけるまたは隣接した、ノッチあるいは突起部を備えて種々の機能を実現することができる。
【０００３】
そのような機能の１つは、容器中の圧力を逃すことができる通気路を与えることである。圧力通気システムは蓋のねじおよび／または容器のねじにおけるノッチを含むことができる。圧力通気システムを備えた容器は、炭酸飲料のような、圧力を受けた飲料を入れるのに用いることができる。特許文献１は、蓋のねじにおける通気のためのノッチを提供している。特許文献２は、容器のねじにおける通気のためのノッチを提供している。特許文献３は、蓋と容器の両方のねじにおける通気のためのノッチを提供している。しかしながら、上述の特許はいずれも蓋が十分に容器を閉じているときを音で示すことを開示していない。
【０００４】
蓋と容器の係合構成の他の機能は、蓋と容器の間の固定機能を与えることである。この固定機能の１つの目的は、蓋が容易に容器から外れないような、対子供用の固定を与えることである。特許文献４は、蓋がその蓋のねじに、容器のねじにおけるくぼみと適合する突起を含む、突起およびくぼみ装置を開示する。さらに、容器から閉じたものを取り除こうとするとき、突起がくぼみを通過させるばねの圧縮を生じるような閉じたものに対する十分な軸方向の力がない限りは、突起の当接面がくぼみの当接面と協働して、閉じたもの蓋を回して開けることを防止することが開示されている。特許文献５には、蓋における一連のラチェット歯と係合する容器のねじ端部における一連のラチェット部が開示されている。閉じた後に容器を開けるため、ラチェット部から歯を外すことは、蓋が開ける方角に回転可能になる前に最初に達成されなければならない。これは、ラチェット部から歯を外すべく閉じたものあるいは蓋に対して軸線方向下向きの力を作用させることによってなされる。特許文献６には、開ける回転方向でのキャップの回転に対する抵抗をもたらす、蓋あるいは容器のどちらか一方における突起および戻り止めのシステムが開示されている。突起および戻り止めは共にそれぞれの部分（すなわち、蓋または容器）のねじに形成される。突起は側面が傾斜した直角三角形の形で下方に突出し、それによって、反対方向（すなわち、固定を解除する方向）への回転が、突起の垂直の側面が戻り止めの壁に留まることに起因して大いに妨げられる。特許文献７には、蓋が内側のキャップ、中央のキャップおよび外側のキャップを含む対子供用の安全固定機能が開示されている。内側のキャップは容器のねじ部と係合するためにねじ部を有している。内側のキャップの隣にある、中央のキャップは内側のキャップとともに回転し、内側のキャップが完全に閉じられた位置にある場所で固定する。蓋を閉じるために、外側のキャップは回転され、それが回転するにつれて中央および内側のキャップが完全に閉じられるまで回転させられる。一度完全に閉じられると、内側および中央のキャップは外側のキャップが回転させられるときもはや回転しない。外側のキャップが回転され続けるとき、中央のキャップが静止したままでいる間、外部キャップは中央のキャップを通過して回転し、それが中央のキャップの一部をスライドして通過するとき、カチッという音を生じる。外側のキャップの突起が中央のキャップのカム面の後縁に接触するときにカチッという音を生じ、それによって中央のキャップが完全に閉じられた位置にあるときの戻り止めがなされる。キャップを取り外して容器を開けるためには、ユーザーは回転および軸線方向の力の両方を与えて内側のキャップのねじ部を容器のねじ部から外さなければならない。このような対子供用の安全な固定装置は、特に容器から蓋を取り外すことを妨げるよう設計されている。
【０００５】
蓋と容器の係合構成のもう１つの機能は、耐ねじ緩みシステムを提供するものであり、それによって、移送および／または収納の間に、蓋が閉まった位置から緩まないようにすなわちねじ緩みしないようにすることができる。特許文献８には、蓋の底ねじに沿ってくさび形歯を設けることによって、蓋が容器からねじ緩みすることを妨げる目的で蓋を決まった場所に固定することが開示されている。歯はその際、蓋が輸送の間にねじ緩みすることを妨げる目的で容器に沿ったねじの裏側に当接する。さらに、この種の構成は、閉じたものを直ぐに取り除くことが望まれていない用途に限って有効であることが開示されている。特許文献９には、蓋と容器リムの両方のねじの一部としての隆起とへこみの交互の列であって、一方の隆起が他方のへこみに係合するものを設けることが開示されている。特許文献１０には、下方に延在する突起と、ねじの下方における容器リム上の接合部および突出部を設けることが開示されている。蓋の上の突起は接合部と係合して、蓋の内部における突起が回転して容器の接合部を通り過ぎるときカチッという音を生じさせる。容器の突出部は蓋のねじと連結して輸送および／または収納の間の蓋のねじ緩みを低減する。
【０００６】
【特許文献１】合衆国特許６,７３６,２８０号明細書
【特許文献２】合衆国特許５,５３３,６３３号明細書
【特許文献３】合衆国特許６,００６,９３０号明細書
【特許文献４】合衆国特許６,８４８,５９０号明細書
【特許文献５】合衆国特許４,０８４,７１７号明細書
【特許文献６】合衆国特許３,７４１,４２１号明細書
【特許文献７】合衆国特許５,１９７,６１６号明細書
【特許文献８】合衆国特許５,１６９,０３３号明細書
【特許文献９】合衆国特許４,４６１,３９４号明細書
【特許文献１０】合衆国特許５,８０３,２８７号明細書
【発明の開示】
【発明が解決しようとする課題】
【０００７】
しかしながら、上記文献のいずれも、蓋が十分に容器を閉じているときに、音による指示を与えることを開示していない。
【０００８】
突起およびノッチの閉じる機構であって、蓋が容器を十分に閉じるとき音による表示をもたらし、蓋を容器から外すときは抵抗が最小であり、移送および／または収納の間に蓋と容器の間のねじ緩みを少なくするか無くすことができる機能が開示される。
【課題を解決するための手段】
【０００９】
開口を取り巻く首を備えた本体および頂部壁および頂部壁から垂れ下がったすそを備えた蓋を有する容器が提供される。容器の首はその位置に少なくとも１つのノッチ、好ましくは、それには限定されないが、少なくとも３つのほぼ等しい間隔をおかれたノッチを有した雄ねじを含んでいる。蓋のすそは首の雄ねじと係合する雌ねじを有し、また、少なくとも１つの内側を向けて延在する突起、好ましくは、それに限定されないが、ノッチごとの、ほぼ等しい間隔がおかれた少なくとも１つの突起を有している。突起は雌ねじと頂部壁との間に位置する。蓋が容器を十分に閉じたことを示す音を生じさせるため、突起は雄ねじにおけるノッチに音を立てて篏合する。
【００１０】
蓋が容器の首の回りに回転させられると、突起が雄ねじの傾斜部に接する。そして突起は傾斜部を雄ねじ上り、それによって、蓋および容器の一方または両方が変形する。そして、突起はノッチにスナップ篏合して蓋が十分に回転して閉じ位置にあることを音によって示し、蓋および容器の一方または両方が変形しない状態、すなわち緩和された状態に戻る。
【００１１】
他の形態では、音による閉じる機構は同様の容器および蓋と含む。しかし、首の雄ねじが少なくとも１つの半径方向外向きに延在する突起、好ましくは、それに限定されないけれども、少なくとも３つのほぼ等しい間隔がおかれた突起を有し、また、雌ねじが蓋のすそに少なくとも１つのノッチ、好ましくは、それに限定されないが、ほぼ等しい間隔がおかれた少なくとも３つのノッチを有する。容器の首の突起は、雄ねじと開口との間に位置する。音による指示は、首における突起が蓋のノッチにスナップ篏合することによって生じる。
【００１２】
容器上の蓋の位置を音によって指示するための方法において、雌ねじと蓋の頂部壁との間にほぼ等しい間隔の少なくとも３つの突起を設け、容器本体の首の雄ねじにほぼ等しい間隔の少なくとも３つのノッチを設け、前記容器の首および前記蓋のすその少なくとも一方が、前記突起を前記雄ねじに係合させることによって変形され、前記首および前記すその少なくとも一方を、前記突起を前記雄ねじの前記ノッチに整列させることによって変形していない状態に戻す。
【発明を実施するための最良の形態】
【００１３】
ねじが切られた蓋を備えた容器の音がする閉じる機構、特に、突起およびノッチの構成が開示されて、図１から図５に例示されている。容器は、閉じるものにおける少なくとも１つの突起と、容器のねじに沿った少なくとも１つのノッチであって、上記突起を受け入れて蓋が容器を十分に閉じたときを音で指示し、蓋を容器から外すときの抵抗を最小とし、また、移送および／または収納の間の、蓋と容器の間のねじ緩みを防止することができる。
【００１４】
容器と蓋は、共に、相互に係合して蓋を容器に固定するねじを有する。蓋は、蓋の上面とねじの最上部との間に位置した、少なくとも１つ、好ましくは少なくとも３つの突起を有するものである。蓋が容器を十分に閉じるとき、突起のそれぞれは容器の首の雄ねじにおける対応したノッチすなわちすき間と一致するか、あるいはこれに代わって、突起のいくつかのみが一致する対応したノッチを有し総ての突起が一致しないものとすることもできる。蓋が容器首の周りを回転させられるに連れて、対応した一致するノッチを有した突起は雄ねじの傾斜部分の端部と接することになる。突起が雄ねじの傾斜部分に乗り上げ、ねじに乗ると、蓋のすそと容器の首の一方または両方が変形する。３つまたはそれより多い突起を用いる場合、変形は均一とすることができる。突起はねじに沿ってスライドし最終的に雄ねじにおけるノッチ内にはめ込まれる。突起がノッチの中にはめ込まれるとき、音による表示がなされて、蓋が十分に回転させられて閉位置にあること、および容器が適切に閉じられていることを示し、それによって、消費者は容器が十分に閉じられたことを確信することができる。
【００１５】
さらに、突起と容器のねじとの係合によって、容器の輸送および／または収納の間、不正開封防止フィルムが開口を覆っているときに容器から蓋がねじ緩みすることを防ぐことができる。このフィルムは、蓋と容器の間の回転に対する抵抗を大きくするものであり、突起もフィルムに接触するとき、あるいは突起がノッチの中にあってフィルムがねじとの間の圧力を加重するときは、上記抵抗が強められる。
【００１６】
容器１４は、図４に示されるように、その一端の開口２４と、この容器１４の開口２４を囲む首２８とを含んでいる。容器１４の首２８は、蓋１２の雌ねじ１８と係合するための雄ねじ１６を有する。さらに、容器１４の雄ねじ１６は、ねじ１６において少なくとも１つのノッチ２０、好ましくは、それに限定されるわけではないが、概略等し距離の間隔をおいた少なくとも３つのノッチ２０を含むものである。これに代わって、容器１４は、ノッチ２０を有するねじ１６の下方において容器１４の首２８の回りにリングもしくは連続したねじ型の突出部を有することもできる。
【００１７】
ねじ１６におけるノッチ２０は、ねじを異なる部分に分離する。結果として、多数のねじ部分が形成される。容器１４の首２８における雄ねじ１６は、不連続で、雄ねじの１つの終端が別の１つの先端に重なるように容器１４の首２８の周りで斜めに配置される。雄ねじが少なくとも３つの不連続な雄ねじを有する場合、好ましくは、それに限定されるわけではないが、少なくとも４つの不連続な雄ねじを有し、それらの角度が、第１の雄ねじの最も上側の端部が第２の雄ねじの最も下側の端部の上方で重なり合うような角度である場合、図４および図５に示されるように、第１の雄ねじの最も上側の端部がノッチを含む。この形態に代わって、反対の重なり合う構成とすることもできる。さらに代わりの形態として、ねじを連続としたものとすることもできる。
【００１８】
ノッチ２０は最上部のねじ１６、すなわち、容器１４の頂部すなわち開口２４最も近いねじに配することができる。さらに、ノッチ２０は、不連続な雄ねじの最上位ねじの端点の近くに配され、それによって、ねじ１６の隣接した部分を２つの部分に分離する。すなわち、ノッチ２０によって長い部分と短い部分に分離される。
【００１９】
蓋１２は、雌ねじ１８を備え、この雌ねじは不連続とすることができる。蓋１２は、頂部壁３０とその壁からたれるすそ３２を有し、このすそ３２はその裏側にねじ１８を配している。蓋１２の雌ねじ１８は、容器首２８の雄ねじ１６と係合するように構成され、これにより容器１４を閉じることができる。蓋１２のねじ１８を斜めに配置し、容器１４の首２８のねじ１６の構成に応じて、一方の終端がもう一方の先端に重なるようにすることができる。例えば、第１の雌ねじの最上端が第２の雌ねじの最下端に重なることができる。
【００２０】
蓋１２は、少なくとも１つの突起部材２２を有し、この突起部材はねじ１８の最上位の部分と蓋１２の頂部壁３０の裏側の面との間に位置する。好ましくは、それに限定されないが、少なくとも３つの等間隔の突起２２を、蓋の少なくとも３つの不連続な雌ねじを配した、すそ３２の裏面に沿って配置することができる。突起２２はねじ１８の上側と接してもよく、あるいは、その上側から間隔を空けてもよい。同様に、突起２２は頂部壁３０とすそ３２の交わりの部分と接してもよく、あるいはその交わりから間隔をおいて配されてもよい。１つの実施形態の突起２２は、最上位のねじ１８の上側に配置され、この場合、ねじ１８は重なり、また、図４に示されるように、突起は、重なり位置において最上位ねじ１８の開始点の近くに配置される。他の実施形態として、突起２２が、重なり部分でない部分においてねじ１８の上側に配されるようにすることができ、それによって、突起２２がねじ１８と接するだけで頂部壁３０とすそ３２との交わり部分から離れたものとすることができる。
【００２１】
突起２２のサイズは、容器１４のねじ１６上に位置するノッチ２０に嵌めることができるものであり、ノッチ２０に対してより小さく、相補的であり、あるいはより大きい、種々の形と大きさとすることができる。一般的に、突起２２は、先端および後端を有し、さらに突起２２が挿入されたときにノッチ２０と接触する接触面を含んでいる。接触面の反対側の面は、蓋１２のすそ３２に取り付けられるまっすぐな端部とすることができる。突起２２の先端はノッチ２０と接触する最初の端であり、後縁はノッチ２０と接触する突起２２の最後の部分である。突起の形の一例は概略台形であり、その４つの直線の端縁には、９０°の角度の先端と、異なった角度の後端があり、そして、他の直線の１つがすそに取り付けられる。突起の他の形状として、丸い端縁と直線端縁の頂部および底を有したものすることができる。先端および後端は同じ形状、例えば丸い形状とすることができ、また、突起の接触面が直線端で、その場合に接触面の反対側はすそに取り付けら直線端とすることができる。他の可能な形状として半円状の突起とすることができ、その場合には、半円側とすそに取り付けられる直線端の２つだけ側面となる。さらに他の形状として、３つの側部を有した４半円突起とすることができる。先端縁は、接触突起の残りの部分が直線である直線端で、また、蓋のすそに取り付けられる側を直線端縁とすることができる。さらに、突起部材２２の他の形状は、上述されたものに限定されていない。
【００２２】
ノッチ２０の形状は蓋１２に配置された突起２２を受け入れるものであり、また、どのような数の形状も有することができる。ノッチ２０は突起２２よりわずかに大きいサイズとすることができ、あるいは突起２２のサイズと相補的なサイズとすることができ、あるいは突起２２よりわずかに小さいサイズとすることができる。ノッチ２０は、好ましくは突起２２より小さいサイズとし、それによって、突起２２がノッチ２０より長く、また、ノッチ２０の外周の長さより大きい外周を有するようにすることができ、突起２２とノッチ２０の間のより緊密な嵌合を実現することができる。このような構成によって、突起２２とノッチ２０の一方あるいは両方に繰り返しの使用による摩耗のおそれがある場合には、利点とすることができる。ノッチ２０は、好ましくはねじ１６の少なくともほぼ全体を通って延在し、それを２つの部分に分ける。
【００２３】
音のする閉じる機構１０は、少なくとも１つの突起２２と対応する少なくとも１つのノッチ２０を有し、これらの突起およびノッチによって蓋１２が十分に容器を閉じていることを示す可聴音がもたらせられる。容器１４を閉じようとするとき、蓋１２は、開口２４の上に置かれ、一般的なねじの切られた閉じシステムのように、蓋１２はそのねじ１８が容器首２８のねじ１６に係合するように回転させられる。蓋１２の突起２２は、最初蓋が回転させられるとき、始めのうちは容器１４のねじ１６の間を通り過ぎる。しかしながら、音のする閉じる機構１０は、例えば、ノッチ２０より多数の突起２２のように等しくない数の突起２２とノッチ２０を有することができる。等しい数でない突起２２とノッチ２０を持っている音のする閉じる機能１０の一例は、４つの突起２２と２つだけのノッチ２０を持つものであり、それによって、２つの突起２２だけが２つのノッチと整列させることができる。
【００２４】
蓋１２がその回転の最終点に近付くと、図１に示すように、突起２２が容器１４のねじ１６の傾斜部に係合し始める。（図１中のＡ−Ｃは、容器１４の頂部に置かれた蓋１２の横断面図で、容器１４の内部から外側を見た図を示している。）傾斜は、容器１４の不連続な雄ねじ１６の短い部分に配置され、ノッチ２０の位置で終わるか、あるいは容器の首２８の周りのリングに沿って配置され、ノッチ２０で終わることができる。図１中のＢに見られるように、突起２２が傾斜部に係合し雄ねじ１６上の傾斜に沿って摺動しながら昇ると、突起２２が傾斜に沿って摺動するにつれて、容器１４の首２８は内側へ均一に変形し、および／または蓋１２のすそ３２は外側へ均一に変形する。突起２２によって容器１４のねじ１６に圧力が作用するとき蓋１２と容器１４の間に張力が増し、容器１４および／または蓋１２の一様な変形を生じさせることができる。一度突起２２がその対応するノッチと整列し、突起がノッチ２０の中で所定の位置でスナップ嵌合すると、首２８および／または蓋１２のすそ３２は、それぞれの変形しない状態すなわち力が緩和された状態に戻ることができる。図１中のＣは、完全に整列した突起２２とノッチ２０および完全に閉じられた位置の蓋１２を示している。突起２２がノッチ２０の中であるべき所にスナップ嵌合すると、可聴音が生じて蓋１２が十分に容器１４を閉じていることを示す。これは、好ましくは蓋１２と容器１４の間の最大値回転の位置で生じる。
【００２５】
突起２２のねじ１６との係合によって、容器１４の輸送や移動の間に容器１４からの蓋１２のねじ緩みを防ぐことができる。最初に使用する前や輸送および／または収納の間は、蓋の上で容器１４の首２８と蓋１２との間に不正開封防止フィルムが配されることによって、蓋１２の突起２２がノッチ２０と整列することが妨げられる。蓋１２と容器１４の間のフィルムは突起２２とノッチ２０の整列を調和させることができ、ノッチへ近づくことを阻止し、また、蓋１２がノッチ２０に向けてさらに回転することを妨げることによって突起２２がノッチ２０内に落ち込むことを妨げている。このようにして、フィルムで覆われた容器１４のねじ１６に作用する突起２２の張力はねじ緩みを防ぐことができる。これに代わって、ねじまで延在しない不正開封防止フィルムなど、フィルムが蓋１２と容器１４との間の回転に対する抵抗を増すようにすることもできる。その抵抗の増加は、突起２２がフィルムと接触するとき、あるいは突起２２がノッチ２０内にあってフィルムがねじ間のさらなる圧力を生じさせるとき、高められる。さらには、突起２２とノッチ２０の構成は、好ましくは、軸方向の力の無い単純な蓋１２の回転によって、蓋１２を容器１４からねじ緩みさせて容器１４を開けることを容易にするものである。
【００２６】
他の構成では、突起２２が容器１４の首２８上に設けられ、また、ノッチ２０が蓋１２のねじ１８に設けられ、その場合にも突起２２がノッチ２０に整列したとき可聴音を生じさせるものでとすることができる。
【００２７】
蓋１２における突起２２の数は、必ずしも容器ねじ１６におけるノッチ２０の数と等しい必要はない。ノッチ２０より多数の突起２２を有することが可能であり、あるいはその逆も可能である。例えば、蓋１２が４つの突起２２を含み、容器１４が２つだけのノッチを含んでもよく、その場合には、蓋１２の２つの突起２２がノッチ２０にはめ込まれないままである。あるいはそれに代わって、少なくとも１つの突起２２と、突起２２ごとの少なくとも１つの対応するノッチ２０であってもよい。さらに、好ましくは、少なくとも３つの突起２２と、突起ごとの対応するノッチ２０、例えば、少なくとも３つのノッチ２０とし、さらに好ましくは、図２〜図３に示すように、総てがほぼ等しい間隔で離れた４つの突起２２と４つのノッチ２０とすることができる。少なくとも３つの突起および３つのノッチを有することにより、容器１４の首２８および／または蓋１２のすそ３２の一様な変形を維持することができる。これは、さらに容器１４が元の変形されていない形状に戻るときの突起２２とノッチ２０の篏合を容易にし、それによって音による指示を与えることができる。
【００２８】
上述のことから、ねじが施された容器の音のする閉じ機構を設けることによって、蓋と容器の首に配置された突起とノッチの閉じるシステムの係合が可能となり、十分に閉じたときに可聴音を生じさせることができることが理解できる。しかしながら、本開示は、上述した態様および実施形態に限定されず、あるいは特定の実施形態に限定されない。音のする閉じる機構の種々の変形例は実質的に同じ機構をもたらすものである。
【図面の簡単な説明】
【００２９】
【図１】Ａは、容器首の雄ねじの先端に隣接して位置する、蓋の突起の横断面図であり、Ｂは、容器首の雄ねじの上に位置する、蓋の突起の横断面図であり、Ｃは、容器首の雄ねじにおけるノッチに位置する、蓋の突起の横断面図である。
【図２】容器の上面図である。
【図３】蓋の底面図である。
【図４】容器の首の上方に間隔をおいた蓋とともに示す容器の斜視図である。
【図５】雄ねじおよびノッチを示す容器首の斜視図である。
【図１】
2008120459.tif 000003
【図２】
2008120459.tif 000004
【図３】
2008120459.tif 000005
【図４】
2008120459.tif 000006
【図５】
2008120459.tif 000007